(57)【要約】【課題】本発明は、柱と梁の接合に際し、作業性が良く、安価なプレキャスト鉄筋コンクリート梁、プレキャスト鉄筋コンクリート梁と柱の接合構造、及びプレキャスト鉄筋コンクリート梁と柱の接合方法を提供する。【解決手段】梁１は、プレキャストコンクリート６がその天端面を、上端筋２及びあばら筋５の上部を露出する高さに形成され、天端面には、プレキャストコンクリート６の端部から所定の離間距離をもつ位置に、上端筋２の高さ位置よりも高い立ち上がり部７が設置される。立ち上がり部７には、水平方向に貫通する孔７ａが備えられ、孔７ａを上端筋２が貫通する。また、梁１は、上端筋２と下端筋３で部材長を違えており、下端筋３は、プレキャストコンクリート６より突出する長さに成形されているが、上端筋２は、その端部が、プレキャストコンクリート６の端部と立ち上がり部７との間に位置する長さに形成されている。【選択図】  図１
2004293180.tif 000002
【特許請求の範囲】
【請求項１】
複数の上端筋及び下端筋よりなる主筋と、複数のあばら筋と、該あばら筋及び主筋を埋設するプレキャストコンクリートを備えてなり、
該プレキャストコンクリートの天端面が、上端筋及びあばら筋の上部を露出する高さに形成され、その天端面には、プレキャストコンクリートの端部より所定の離間距離を有する位置に、少なくとも上端筋の配置高さよりも高さを有する立ち上がり部を有するとともに、
前記下端筋の端部が、前記プレキャストコンクリートの端部より突出し、
前記上端筋の端部が、前記プレキャストコンクリートの端部と立ち上がり部との間に位置することを特徴とするプレキャスト鉄筋コンクリート梁。
【請求項２】
請求項１に記載のプレキャスト鉄筋コンクリート梁において、
立ち上がり部に、下部を前記プレキャストコンクリートに固着されて鉛直に立設する板状のラス網が用いられており、板面を前記上端筋と直交するように配されて、該上端筋が板面の網目を貫通していることを特徴とするプレキャスト鉄筋コンクリート梁。
【請求項３】
請求項１または２に記載のプレキャスト鉄筋コンクリート梁と柱の接合構造であって、
端部を向かい合わせて隣り合う前記プレキャスト鉄筋コンクリート梁の間に、前記柱が配置されて、
該柱の仕口部に、隣り合うプレキャスト鉄筋コンクリート梁に備えられた向かい合う下端筋の端部を連結する継ぎ手が形成されるとともに、隣り合う前記プレキャスト鉄筋コンクリート梁に備えられた向かい合う上端筋どうしを連結する複数の梁筋が配設され、
また、該梁筋の端部と前記上端筋の端部に継ぎ手が形成されて、該梁筋と前記上端筋の継ぎ手、及び下端筋の継ぎ手を埋設するように、コンクリートが打設されており、
前記梁筋と上端筋の継ぎ手が、前記プレキャスト鉄筋コンクリート梁の内方に形成されることを特徴とするプレキャストコンクリート梁と柱の接合構造。
【請求項４】
請求項３に記載のプレキャスト鉄筋コンクリート梁と柱の接合方法であって、
前記柱のｘ方向の両側に、端部を突き合わせるように対をなすプレキャスト鉄筋コンクリート梁を建て込んだ後、該プレキャスト鉄筋コンクリート梁の向かい合う下端筋の端部どうしに継ぎ手を形成した上で、前記柱の仕口部にフープ筋を配設する第１の工程と、
前記柱の仕口部を跨ぎｘ方向に延在するように、柱の仕口部に梁筋を複数配置し、該梁筋の端部とこれと向かい合う対をなすプレキャスト鉄筋コンクリート梁に備えられた上端筋の端部に継ぎ手を形成する第２の工程と、
前記梁筋と上端筋の継ぎ手を埋設するように、柱の仕口部、及びプレキャスト鉄筋コンクリート梁の上部で前記立ち上がり部と前記柱に囲まれる領域の両者に、コンクリートを打設する第３の工程を備えることを特徴とするプレキャスト鉄筋コンクリート梁と柱の接合方法。
【請求項５】
請求項４に記載のプレキャスト鉄筋コンクリート梁と柱の接合方法において、
第１の工程で、フープ筋を配設する前に、前記柱のｙ方向の両側に、端部を突き合わせるように対をなすプレキャスト鉄筋コンクリート梁を建て込み、該プレキャスト鉄筋コンクリート梁の向かい合う下端筋どうしに継ぎ手を形成し、
第２の工程の後、前記柱の仕口部を跨ぎｙ方向に延在するように、柱の仕口部に梁筋を複数配置し、該梁筋の端部とこれと向かい合う対をなすプレキャスト鉄筋コンクリート梁に備えられた上端筋の端部に継ぎ手を形成することを特徴とするプレキャスト鉄筋コンクリート梁と柱の接合方法。
【発明の詳細な説明】
【０００１】
【発明の属する技術分野】
本発明は、プレキャスト鉄筋コンクリート梁、プレキャスト鉄筋コンクリート梁と柱の接合構造、プレキャスト鉄筋コンクリート梁と柱の接合方法に関する。
【０００２】
【従来の技術】
従来より、鉄筋コンクリート造の構造物を構築する際には、プレキャスト鉄筋コンクリート造の柱を構築するとともに、ハーフプレキャスト鉄筋コンクリート造の梁を架け渡し、柱と梁の仕口部にコンクリートを打設して柱と梁の接合した後、床に対してコンクリートを打設して架構を構築する工法が一般に用いられている。このような工法では、柱と梁の仕口部へのコンクリート打設に際し、前記梁の上面で、柱との取り合い部と床との間にコンクリート止めを設置する必要がある。このようなコンクリート止めは、前記梁の上端筋が貫通できる構成を備える必要があるとともに、コンクリート打設後には撤去するか、もしくは捨て型枠として床に埋設されても、構造に不具合を生じないものとする必要があり、作業が繁雑であり、工費削減や工期短縮の妨げとなっていた。
このような中、特許文献１に示すように、上端筋及びあばら筋の上部を露出させたハーフプレキャスト鉄筋コンクリート造の梁について、プレキャストコンクリートの天端面で、柱との取り合い部と床との境界部にあらかじめ突起部を設け、該突起部をコンクリート止めとして利用する構成が考案されている。これにより、コンクリート型枠の設置や撤去等の作業を省略することが可能になるものである。
【０００３】
【特許文献１】
特開２００１−１６４６８８号公報（ｐ４、図１参照）
【０００４】
【発明が解決しようとする課題】
しかしながら、特許文献１に示された梁は、上端筋が前記梁の小口面よりも突出する構成となっているため、柱との接合構造は、梁の上端筋及び下端筋の両者が柱の内方に挿入される構成となるとともに、柱の仕口部にはフープ筋を配設する必要があるため、仕口部内の配筋が複雑となる。さらに、柱に対して梁が２方向以上から接合する構成では、梁の上端筋を互いに移動しながら、所定の位置に配筋する等の手間を有することとなり、コンクリート打設に係る煩雑さは解消されるものの、配筋に係る煩雑さを解消することができない。
【０００５】
上記事情に鑑み、本発明は、柱と梁の接合に際し、作業性が良く、安価なプレキャスト鉄筋コンクリート梁、プレキャスト鉄筋コンクリート梁と柱の接合構造、及びプレキャスト鉄筋コンクリート梁と柱の接合方法を提供することを目的としている。
【０００６】
【課題を解決するための手段】
請求項１記載のプレキャスト鉄筋コンクリート梁は、複数の上端筋及び下端筋よりなる主筋と、複数のあばら筋と、該あばら筋及び主筋を埋設するプレキャストコンクリートを備えてなり、該プレキャストコンクリートの天端面が、上端筋及びあばら筋の上部を露出する高さに形成され、その天端面には、プレキャストコンクリートの端部より所定の離間距離を有する位置に、少なくとも上端筋の配置高さよりも高さを有する立ち上がり部を有するとともに、前記下端筋の端部が、前記プレキャストコンクリートの端部より突出し、前記上端筋の端部が、前記プレキャストコンクリートの端部と立ち上がり部との間に位置することを特徴としている。
【０００７】
請求項２記載のプレキャスト鉄筋コンクリート梁は、立ち上がり部に、下部を前記プレキャストコンクリートに固着されて鉛直に立設する板状のラス網が用いられており、板面を前記上端筋と直交するように配されて、該上端筋が板面の網目を貫通していることを特徴としている。
【０００８】
請求項３記載のプレキャスト鉄筋コンクリート梁と柱の接合構造は、端部を向かい合わせて隣り合う前記プレキャスト鉄筋コンクリート梁の間に、前記柱が配置されて、該柱の仕口部に、隣り合うプレキャスト鉄筋コンクリート梁に備えられた向かい合う下端筋の端部を連結する継ぎ手が形成されるとともに、隣り合う前記プレキャスト鉄筋コンクリート梁に備えられた向かい合う上端筋どうしを連結する複数の梁筋が配設され、また、該梁筋の端部と前記上端筋の端部に継ぎ手が形成されて、該梁筋と前記上端筋の継ぎ手、及び下端筋の継ぎ手を埋設するように、コンクリートが打設されており、前記梁筋と上端筋の継ぎ手が、前記プレキャスト鉄筋コンクリート梁の内方に形成されることを特徴としている。
【０００９】
請求項４記載のプレキャスト鉄筋コンクリート梁と柱の接合方法は、前記柱のｘ方向の両側に、端部を突き合わせるように対をなすプレキャスト鉄筋コンクリート梁を建て込んだ後、該プレキャスト鉄筋コンクリート梁の向かい合う下端筋の端部どうしに継ぎ手を形成した上で、前記柱の仕口部にフープ筋を配設する第１の工程と、前記柱の仕口部を跨ぎｘ方向に延在するように、柱の仕口部に梁筋を複数配置し、該梁筋の端部とこれと向かい合う対をなすプレキャスト鉄筋コンクリート梁に備えられた上端筋の端部に継ぎ手を形成する第２の工程と、前記梁筋と上端筋の継ぎ手を埋設するように、柱の仕口部、及びプレキャスト鉄筋コンクリート梁の上部で前記立ち上がり部と前記柱に囲まれる領域の両者に、コンクリートを打設する第３の工程を備えることを特徴としている。
【００１０】
請求項５記載のプレキャスト鉄筋コンクリート梁と柱の接合方法は、第１の工程で、フープ筋を配設する前に、前記柱のｙ方向の両側に、端部を突き合わせるように対をなすプレキャスト鉄筋コンクリート梁を建て込み、該プレキャスト鉄筋コンクリート梁の向かい合う下端筋どうしに継ぎ手を形成し、第２の工程の後、前記柱の仕口部を跨ぎｙ方向に延在するように、柱の仕口部に梁筋を複数配置し、該梁筋の端部とこれと向かい合う対をなすプレキャスト鉄筋コンクリート梁に備えられた上端筋の端部に継ぎ手を形成することを特徴としている。
【００１１】
【発明の実施の形態】
本発明のプレキャスト鉄筋コンクリート梁、プレキャスト鉄筋コンクリート梁と柱の接合構造、及びプレキャスト鉄筋コンクリート梁と柱の接合方法を、図１から図６に示す。本発明のプレキャスト鉄筋コンクリート梁は、上端筋及びあばら筋の上部をプレキャストコンクリートより露出する構成とし、該プレキャストコンクリートの上面で端部より所定の離間距離を設けた位置に、立ち上がり部を設けるとともに、前記上端筋の端部がプレキャストコンクリートの端部と立ち上がり部との間に位置する部材長に設定した。
これにより、柱と梁の接合に際し、上端筋に係る継ぎ手をプレキャスト鉄筋コンクリート梁の内方に配置できるため、柱の仕口部における配筋を簡略化できるとともに、立ち上がり部をコンクリート止めとして使用できるため、仕口部へのコンクリートの打設時に、コンクリート型枠の設置及び撤去工程を省略することができ、施工性を向上することができるものである。
【００１２】
図１（ａ）に示すように、プレキャスト鉄筋コンクリート造の梁１は、上端筋２、下端筋３よりなる主筋４と、あばら筋５、及びこれらを埋設するプレキャストコンクリート６により構成されている。前記主筋４は、梁１の長さ方向に延在し、また幅方向に複数が所定の離間間隔をもって平行に配置されており、梁１の上方に位置する上端筋２及び梁１の下方に位置する下端筋３が、鉛直方向で同軸となるように位置決めされている。また、複数のあばら筋５は、前記主筋４に直交し、これらを内包するように所定の離間間隔をもって梁１の長さ方向に複数配置されている。
【００１３】
このような構成の梁１は、前記プレキャストコンクリート６がその天端面を、上端筋２及びあばら筋５の上部を露出する高さに形成されており、該天端には、プレキャストコンクリート６の長さ方向の端部から所定の離間距離をもって、前記上端筋２の配置高さよりも高さを有する立ち上がり部７が設置されている。また、該立ち上がり部７には、水平方向に貫通する孔７ａが備えられており、該孔７ａを上端筋２が貫通する構成となっている。
なお、立ち上がり部７の高さの上限は、後に梁１の上面に形成される床スラブの天端面と同様の高さである。
【００１４】
また、該梁１は、前記上端筋２と下端筋３で部材長を違えており、前記下端筋３はプレキャストコンクリート６の部材長より長く、端部が前記プレキャストコンクリート６の端部より長さ方向に突出するよう成形されているが、前記上端筋２はプレキャストコンクリート６の部材長より短く、プレキャストコンクリート６の端部より外方へ突出することなく、内方に納めることの可能な長さに成形されている。このとき、該上端筋２の端部は、プレキャストコンクリート６の端部と前記立ち上がり部７との間に位置している。
【００１５】
なお、本実施の形態では、梁１の両端部の近傍に前記立ち上がり部７を備えているが、必ずしもこれにこだわるものではなく、何れか一方に備える構成としても良い。また、該立ち上がり部７には、前記あばら筋５の一部を内包するプレキャストコンクリート６が用いられているが、必ずしもあばら筋５を内包する必要が無く、また、捨て型枠として用いても床に不具合を生じない部材であれば何れの部材を用いても良い。
【００１６】
図１（ｂ）に他の部材を用いた立ち上がり部７の例を示す。該梁１は、図１（ａ）に示したものと同様の構成であるが、前記立ち上がり部７にラス網が用いられている。該ラス網は、網目状の鋼板であり、板面を前記上端筋２と直交する方向に向けて立設され、上部が露出するようにプレキャストコンクリート６に下部を埋設されている。なお、ラス網は、必ずしも下部を埋設する必要はなく、所定位置に固定できれば、何れの方法で固定しても良く、また、脱着可能に設置しても良い。
ここで、該ラス網の露出高さは、プレキャストコンクリート６で製作された立ち上がり部７と同様に、少なくとも前記上端筋２の配置高さよりも高く形成するが、その高さの上限は、後に梁１の上面に形成される床スラブ１５の天端面よりも低くなるように形成する。このとき、前記上端筋２は、ラス網の網目を貫通する構成としている。
【００１７】
上述する梁１を用いた柱８と梁１の接合構造は、図２に示すように、対をなす前記梁１が、前記柱８を挟んで端部同士を向かい併せるように同一水平軸上に配置されている。対をなす前記梁１の下端筋３は端部を、前記梁１を構成するプレキャストコンクリート６の端部より長さ方向に突出するように形成されているため、その端部どうしが前記柱８の仕口部内で突き合わされており、両者を連結するようにカプラーが嵌合されて、向かい合う下端筋３どうしの継ぎ手９が形成されている。なお、本実施の形態において、該下端筋３の継ぎ手９には、カプラーを用いたが、必ずしもこれにこだわるものではなく、長手方向に隣り合って延在する下端筋３に継ぎ手９を構成できれば、何れを用いても良い。
【００１８】
一方、対をなす前記梁１の上端筋２は、前記プレキャストコンクリート６よりも短く形成されているため、端部が柱８の仕口部に突出することはない。そこで、前記柱８の仕口部には、柱８の断面を跨ぐことのできる部材長を有する梁筋１１が、前記上端筋２と同様の高さに、平行でかつ上端筋２と同様の離間間隔をもって、前記上端筋２と同数配置されている。該梁筋１１は、その両端部各々と前記上端筋２の端部とを前記梁１のプレキャストコンクリート６の天端面上で突き合わされて、両者を連結するようにスリーブが嵌合され、継ぎ手１０を形成している。なお、本実施の形態において、該上端筋２と梁筋１１の継ぎ手１０には、スリーブを用いたが、必ずしもこれにこだわるものではなく、長手方向に隣り合って延在する上端筋２及び梁筋１１に継ぎ手１０を構成できれば、何れを用いても良い。
これにより、前記柱８の仕口部には、対をなす梁１の下端筋３同士の継ぎ手９が配置されるものの、前記梁筋１１が貫通するように配されるのみで、前記上端筋２に係る継ぎ手１０が配置されることはない。
【００１９】
このような柱８の仕口部には、柱８の主筋８ａに直交して複数のフープ筋８ｂが配設され、前記下端筋３同士の継ぎ手９、及び前記梁筋１１と上端筋２の継ぎ手１０を埋設するように、柱８の仕口部、及び前記梁１の上部で柱８と前記立ち上がり部７に囲われた領域の両者に、コンクリート１２が打設されている。したがって、前記立ち上がり部７を、梁１を構成するプレキャストコンクリート６の上面で、柱８との取り合い部と後に構築する床スラブ１５との境界に設置しておくことにより、これを柱８と梁１の接合時、及び床スラブ１５の構築時の両工程でコンクリート型枠として利用するものである。なお、本実施の形態では、前記立ち上がり部７を後に構築される床スラブ１５の天端と同様の高さに形成していないため、立ち上がり部７の上端部にコンクリート止め１３を配置したが、必ずしもこれにこだわるものではなく、立ち上がり部７の上端部を床スラブ１５の天端と同様の高さに形成してもよい。
【００２０】
上述するように、前記柱８と梁１の接合構造は、前記梁１の上端筋２と梁筋１１との継ぎ手が、柱８の仕口部ではなく、前記梁１の端部、つまり柱８との取り合い部に位置するため、柱８の仕口部の配筋を簡略化し作業性を向上できるものである。また、前記梁１の立ち上がり部７を、柱８との取り合い部と床スラブ１５との境界に配置しておくことにより、該立ち上がり部７を柱８と梁１を接合構造を構築する際のコンクリート１２の打設作業時、及び後に床スラブ１５を構築する際のコンクリートの打設作業時の両者に、コンクリート型枠として用いることができるため、作業の繁雑な上端筋２廻りに係るコンクリート型枠の施工を省略することができるものである。
【００２１】
なお、図２では、前記柱８の向かい合う両側に、端部を向かい合わせて配置された１対の梁が接合する場合の接合構造を示したが、必ずしもこれにこだわるものではなく、図３に示すように、四角柱の柱８の向かい合う２対の側面各々に、２対の梁を接合しても良い。ただし、この場合には、２対の梁のうち、何れか一方に高低差を設けた上で、前記柱８に接合する。本実施の形態では、図５（ｂ）に示すように、ｙ方向に配置した対をなす梁１を、ｘ方向に配置した対をなす梁１と比較して高く位置するように配置した。このとき、ｘ方向及びｙ方向に配置した梁１の高低差は、前記ｙ方向及びｘ方向の両者各々に配置した対をなす梁１の下端筋３どうしの高さ方向の離間間隔ｈを、コンクリート１２を打設した際に必要なかぶり厚を確保できる距離とすれば、何れの高低差を設けても良い。
【００２２】
上述するハーフプレキャスト鉄筋コンクリート造の柱８と梁１の接合方法を図４及び図５を用いて詳述する。
まず、第１の工程では、前記柱８のｘ方向の両側に、端部を向かい合わせるように対をなすプレキャスト鉄筋コンクリート造の梁１を建て込む。このとき、該梁１の下端筋３は、前記柱８の仕口部内に挿入された状態となる。
次に、対をなす該梁１の突き合え下端筋３どうしを連結するように前記カプラーを設置し、図４（ａ）に示すように、下端筋３どうしの継ぎ手９を形成する。
なお、前記柱８に対してｘ方向にのみ対をなす梁１を接合する際には、この後、前記柱８の仕口部にフープ筋８ｂを配設する。
【００２３】
上述する第１の工程を終了した後、前記柱８のｙ方向の両側に、端部を突き合わせるように対をなす梁１を建て込む。このとき、ｙ方向に建て込む対をなす梁１は、ｘ方向に建て込んだ対をなす梁１と比較して、柱８に対する高低差を所定量ｈだけ設けて高く配置する。
次に、ｙ方向の対をなす該梁１の突き合う下端筋３どうしを連結するように前記カプラー９を設置して下端筋３どうしの継ぎ手９を形成し、図４（ｂ）に示すように、前記柱８の仕口部にフープ筋８ｂを配設する。
【００２４】
第２の工程では、前記柱８の仕口部を跨ぐように、梁１に備えられた上端筋２と同数の梁筋１１を、柱８のｘ方向に、梁１の上端筋２と同様の離間間隔をもって平行に配置し、ｘ方向の対をなす梁１に備えられた上端筋２の端部と、これに突き合う該梁筋１１の端部とを連結するようにスリーブを設置し、図４（ｃ）に示すように、梁筋１１と上端筋２の継ぎ手１０を形成する。なお、前記柱８に対してｘ方向にのみ対をなす梁１を接合する際には、この後、下記に記載する第３の工程を実施する。
【００２５】
上述する第２の工程を終了した後、前記柱８のｙ方向にも同様に、柱８の仕口部を跨ぐように、梁１に備えられた上端筋２と同数の梁筋１１ａを配置し、ｙ方向の対をなす梁１に備えられた上端筋２の端部と、これと突き合う該梁筋１１の端部とを連結するようにスリーブを設置し、図５（ａ）に示すように、梁筋１１と上端筋２の継ぎ手１０を形成する。
【００２６】
第３の工程では、前記梁１の上面に備えられた前記立ち上がり部７をコンクリート型枠として、梁筋１１と上端筋２の継ぎ手を埋設するように、柱８の仕口部、及び前記梁１の上面で柱８と立ち上がり部７に囲まれる領域の両者にコンクリート１２を打設する。
このとき、前記梁１のプレキャストコンクリート６上には側面に沿って、プレキャストコンクリート６の端部と立ち上がり部７との間に、ラス網もしくはベニヤ板等により構成されるコンクリート型枠１４を配置しておく。
【００２７】
なお、該コンクリート型枠１４は、隣り合うＸ方向の梁１及びｙ方向の梁１の両者各々に設けられたコンクリート型枠１４をあらかじめ一体化させて、図６に示すようにＬ字型に成型しておいても良い。
また、図６に示すように、前記立ち上がり部７にラス網を備えた梁１と柱８を接合する場合にも、柱８と梁１の接合方法は、上述する方法と同様の工程で実施すればよい。
【００２８】
このような方法により、前記柱８の四方に端部を向かい合わせて対をなす２対の梁１とが接合されることとなる。なお、前記柱８の一対の向かい合う側面にのみ対をなす１対の梁１を接合したい場合には、上述する手順のうち、ｙ方向へ対をなす１対の梁１接合に係る手順を省略すれば良い。
【００２９】
上述する構成によれば、前記梁１の上部には、立ち上がり部７が備えられていることから、該立ち上がり部７を前記柱８との取り合い部と床１５との境界に配置して、該立ち上がり部７を柱８と梁１の接合時、及び床スラブ１５の構築時の各々でコンクリートの打設作業に用いるコンクリート型枠として用いることができるため、作業の繁雑な上端筋２廻りに係るコンクリート型枠の設置作業を省略することができ、施工性を向上することができ、工期短縮、工費削減に大きく寄与することが可能となる。
【００３０】
また、前記上端筋２の端部が、前記梁１のプレキャストコンクリート６の端部と前記立ち上がり部７との間に位置していることから、該上端筋２に係る継ぎ手１０を、梁１の内方に配置することができるため、上端筋２に係る継ぎ手１０を容易に形成することが可能で施工性が良く、工費削減、工期短縮に大きく寄与することが可能となる。
【００３１】
さらに、前記柱８と梁１の接合構造は、前記柱８の仕口部を跨ぐように梁筋１１を配置し、該梁筋１１を介して向かい合う上端筋２を連結するため、上端筋２と梁筋１１の継ぎ手１０が柱８の仕口部ではなく、前記梁１の端部に配置されることから、柱８仕口部の配筋を簡略化でき、作業性が向上するため、工期短縮に大きく寄与することが可能となる。
【００３２】
また、上述する構造の梁１と柱８の接合方法は、柱８の仕口部に係る配筋が容易であることから、従来のように柱８の仕口部にフープ筋８ｂを配置するために上端筋２の位置を移動させる等の作業を省略でき、上端筋２移動の鉄筋工やフープ筋８ｂ配筋の鉄筋工の相番作業が不要となる。さらに、前記立ち上がり部７を有する梁１を用いることにより、作業の繁雑な上端筋２廻りに係るコンクリート型枠の設置作業を省略できるため、工期を短縮することが可能となる。
【００３３】
【発明の効果】
請求項１または２に記載のプレキャスト鉄筋コンクリート梁によれば、複数の上端筋及び下端筋よりなる主筋と、複数のあばら筋と、該あばら筋及び主筋を埋設するプレキャストコンクリートを備えてなり、該プレキャストコンクリートの天端面が、上端筋及びあばら筋の上部を露出する高さに形成され、その天端面には、プレキャストコンクリートの端部より所定の離間距離を有する位置に、少なくとも上端筋の配置高さよりも高さを有する立ち上がり部を有するとともに、前記下端筋の端部が、前記プレキャストコンクリートの端部より突出し、前記上端筋の端部が、前記プレキャストコンクリートの端部と立ち上がり部との間に位置する。
もしくは、立ち上がり部に、下部を前記プレキャストコンクリートに固着されて鉛直に立設する板状のラス網が用いられており、板面を前記上端筋と直交するように配されて、該上端筋が板面の網目を貫通している。
これにより、該立ち上がり部を前記柱との取り合い部と床との境界に配置して、該立ち上がり部を柱と梁の接合時、及び床スラブの構築時の各々でコンクリートの打設作業に用いるコンクリート型枠として用いることができるため、型枠に係る作業を省略することができ、施工性を向上することができ、工期短縮、工費削減に大きく寄与することが可能となる。
【００３４】
請求項３記載のプレキャスト鉄筋コンクリート梁と柱の接合構造によれば、端部を向かい合わせて隣り合う前記プレキャスト鉄筋コンクリート梁の間に、前記柱が配置されて、該柱の仕口部に、隣り合うプレキャスト鉄筋コンクリート梁に備えられた向かい合う下端筋の端部を連結する継ぎ手が形成されるとともに、隣り合う前記プレキャスト鉄筋コンクリート梁に備えられた向かい合う上端筋どうしを連結する複数の梁筋が配設され、また、該梁筋の端部と前記上端筋の端部に継ぎ手が形成されて、該梁筋と前記上端筋の継ぎ手、及び下端筋の継ぎ手を埋設するように、コンクリートが打設されており、前記梁筋と上端筋の継ぎ手が、前記プレキャスト鉄筋コンクリート梁の内方に形成される。
これにより、上端筋と梁筋の継ぎ手が柱の仕口部ではなく、前記梁の端部に配置されることから、柱仕口部の配筋を簡略化でき、作業性が向上するため、工期短縮に大きく寄与することが可能となる。
【００３５】
請求項４または５に記載のプレキャスト鉄筋コンクリート梁と柱の接合方法によれば、前記柱のｘ方向の両側に、端部を突き合わせるように対をなすプレキャスト鉄筋コンクリート梁を建て込んだ後、該プレキャスト鉄筋コンクリート梁の向かい合う下端筋の端部どうしに継ぎ手を形成した上で、前記柱の仕口部にフープ筋を配設する第１の工程と、前記柱の仕口部を跨ぎｘ方向に延在するように、柱の仕口部に梁筋を複数配置し、該梁筋の端部とこれと向かい合う対をなすプレキャスト鉄筋コンクリート梁に備えられた上端筋の端部に継ぎ手を形成する第２の工程と、前記梁筋と上端筋の継ぎ手を埋設するように、柱の仕口部、及びプレキャスト鉄筋コンクリート梁の上部で前記立ち上がり部と前記柱に囲まれる領域の両者に、コンクリートを打設する第３の工程を備える。
もしくは、第１の工程で、フープ筋を配設する前に、前記柱のｙ方向の両側に、端部を突き合わせるように対をなすプレキャスト鉄筋コンクリート梁を建て込み、該プレキャスト鉄筋コンクリート梁の向かい合う下端筋どうしに継ぎ手を形成し、第２の工程の後、前記柱の仕口部を跨ぎｙ方向に延在するように、柱の仕口部に梁筋を複数配置し、該梁筋の端部とこれと向かい合う対をなすプレキャスト鉄筋コンクリート梁に備えられた上端筋の端部に継ぎ手を形成する。
【００３６】
これにより、前記柱の仕口部に係る配筋が容易であるため、従来のように柱の仕口部にフープ筋を配置するために上端筋の位置を移動させる、といった作業を省略でき、上端筋移動の鉄筋工やフープ筋配筋の鉄筋工の相番作業が不要となる。さらに、前記立ち上がり部を有する梁を用いることにより、作業の繁雑な上端筋廻りに係るコンクリート型枠の設置作業を省略できるため、工期を大幅に短縮することが可能となる。
【図面の簡単な説明】
【図１】本発明に係るプレキャスト鉄筋コンクリート梁を示す図である。
【図２】本発明に係るプレキャスト鉄筋コンクリート梁を用いた柱と、端部を向かい合う対をなす梁の接合構造を示す図である。
【図３】本発明に係るプレキャスト鉄筋コンクリート梁を用いた、柱と該４面に梁が設けられた場合の接合構造を示す図である。
【図４】本発明に係るプレキャスト鉄筋コンクリート梁を用いた柱と、端部を向かい合う対をなす梁の接合方法を示す図である。
【図５】本発明に係るプレキャスト鉄筋コンクリート梁を用いた、柱と該４面に梁が設けられた場合の接合方法を示す図である。
【図６】本発明に係るプレキャスト鉄筋コンクリート梁を用いた、柱と該４面に梁が設けられた場合の他の接合構造を示す図である。
【符号の説明】
１  梁
２  上端筋
３  下端筋
４  主筋
５  あばら筋
６  プレキャストコンクリート
７  立ち上がり部
７ａ  孔
８  柱
９  継ぎ手
１０  継ぎ手
１１  梁筋
１２  コンクリート
１３  コンクリート止め
１４  コンクリート型枠
１５  床スラブ
【図１】
2004293180.tif 000003
【図２】
2004293180.tif 000004
【図３】
2004293180.tif 000005
【図４】
2004293180.tif 000006
【図５】
2004293180.tif 000007
【図６】
2004293180.tif 000008